(57)【要約】      （修正有）【課題】良好な冷却、保冷機能を持ちつつ、使用感と見栄えを向上させた保冷タオルを提供する。【解決手段】保冷タオル１は、帯状をなし、その中央に保冷部２と、その長手方向の両端にそれぞれ縫着される拭き取り部３，４を備えている。保冷部２は、多孔質体からなる芯部と、それを覆うメッシュ地からなる被覆部により構成されている。拭き取り部３，４はタオル地からなる。保冷部２は、第１の折曲部Ｂ１にて折り畳まれると共に両端が縫着されることで形成される収納部９を有している。また、保冷部２は、第２の折曲部Ｂ２にて折り畳まれることで形成されるカバー部を有している。収納部９には、幅方向に縫着することにより形成される仕切り部１１が設けられており、カバー部もこの仕切り部１１により縫着されている。【選択図】図１
0003153039.tif 000002
【実用新案登録請求の範囲】
【請求項１】
帯状をなし、その中央に設けられる保冷部と、該保冷部の長手方向の両端にそれぞれ縫着される拭き取り部とを備え、
前記保冷部が、保水性及び吸水性を有する多孔質体からなる芯部と該芯部を覆うメッシュ地からなる被覆部で構成され、
前記拭き取り部が、タオル地からなることを特徴とする保冷タオル。
【請求項２】
前記保冷部は、長手方向に向かう第１の折曲部で幅方向に折り畳まれると共に長手方向の両端が縫着されることにより形成され且つ幅方向の一辺が開口する袋状の収納部を有し、該収納部が幅方向に縫着されることにより形成される少なくとも１つの仕切り部で仕切られていることを特徴とする請求項１記載の保冷タオル。
【請求項３】
前記保冷部は、長手方向に向かう第２の折曲部で幅方向に折り畳まれることにより形成される前記収納部の開口を覆うカバー部を有し、該カバー部も前記仕切り部により幅方向に縫着されて仕切られていることを特徴とする請求項２記載の保冷タオル。
【請求項４】
前記カバー部は端部が解放されていて開閉自在となっていることを特徴とする請求項３記載の保冷タオル。
【考案の詳細な説明】
【技術分野】
【０００１】
本考案は、サッカー等のスポーツ観戦、園芸等の屋外作業、熱中症対策等に使用する保冷タオルに関するものであり、特に、頭部、頚部等を冷却するのに適していると共に見栄えが良い保冷タオルに関するものである。
【背景技術】
【０００２】
従来、この種のタオルあるいは保冷具としては、乾湿可逆性基材を疎水性粗目ネットで包み込んだ保冷具が知られている（例えば、特許文献１参照）。この保冷具は、ネットの長手方向端部を延伸させたりネットにヒモを取り付け、それらを結束して身体に取り付けることができるように構成されていた。
【０００３】
しかしながら、この保冷具は、基材をネットで覆ったものであるため、一般的なタオルとは外観が大きく異なるものとなっていた。このため、後頭部や頚部を冷却する際に首に掛けると、この保冷具が目立って、見た目に違和感を生じさせ、使用をためらう人も多かった。また、この保冷具では、外側がネットであると共に基材に水を吸収させて使用するため、この保冷具で汗等を拭くと、ネットのざらっとした感触と、基材の濡れた感触によって、使用感が悪いという問題があった。
【０００４】
また、タオル本体の中央に収納部を設けて、保冷剤を収納するように構成したタオル（例えば、特許文献２参照）や、タオル主体の中央に蓄冷剤を収めた多数の小収容部を設けたタオル（例えば、特許文献３参照）も知られている。
【０００５】
このようなタオル地を用いたものでは、汗を拭くときの使用感は良好であるが、保冷剤が解凍してしまうと、即座に保冷効果が薄れてしまうという問題があった。
【先行技術文献】
【特許文献】
【０００６】
【特許文献１】特開２００６−２３８９１８号公報
【特許文献２】特開２００５−２２０５０２号公報
【特許文献３】実登３００９４６９号公報
【考案の概要】
【考案が解決しようとする課題】
【０００７】
本考案が解決しようとする課題は、上記従来技術の問題点を解決し、良好な冷却、保冷機能を持ちつつ、使用感と見栄えを向上させた保冷タオルを提供することにある。
【課題を解決するための手段】
【０００８】
本考案の保冷タオルは、帯状をなし、その中央に設けられる保冷部と、該保冷部の長手方向の両端にそれぞれ縫着される拭き取り部とを備え、前記保冷部が、保水性及び吸水性を有する多孔質体からなる芯部と該芯部を覆うメッシュ地からなる被覆部で構成され、前記拭き取り部が、タオル地からなるものである。
【０００９】
また、前記保冷タオルにおける保冷部は、一実施例では長手方向に向かう第１の折曲部で幅方向に折り畳まれると共に長手方向の両端が縫着されることにより形成され且つ幅方向の一辺が開口する袋状の収納部を有し、該収納部が幅方向に縫着されることにより形成される少なくとも１つの仕切り部で仕切られている。
【００１０】
また、前記保冷部は、他の実施例では長手方向に向かう第２の折曲部で幅方向に折り畳まれることにより形成される前記収納部の開口を覆うカバー部を有し、該カバー部も前記仕切り部により幅方向に縫着されて仕切られている。なお、保冷タオルにおける前記カバー部は端部が解放されていて開閉自在となっていることが望ましい。
【考案の効果】
【００１１】
本考案の保冷タオルは、保水性及び吸水性を有する芯部とそれを覆うメッシュ地からなる被覆部とから構成される保冷部を中央に有すると共に、その両端にタオル地からなる拭き取り部を有している。このため、首に掛けると、保冷部は首に巻かれて隠れ、その端部から身体の前にタオル地からなる拭き取り部が垂れることになる。従って、一見して通常のタオルと同様に見えて、見た目の違和感がなくなり、保冷タオルの見栄えを良好にすることができる。
【００１２】
また、本考案の保冷タオルは、その保冷部に、折り畳まれて縫着されることにより形成される収納部を有している。この収納部は、芯部と被覆部を折り畳んで袋状に形成したものであるため、内部に保冷剤や氷を収納することができる。このため、保冷剤や氷によって冷却することができると共に、保冷剤や氷によって保冷部が吸収した水分が冷却され、その水分によって更に冷却状態を保持することができる。従って、単に保冷剤を使用する場合に比べて、長時間、冷却状態を保持することができる。また、本考案の保冷タオルは、保冷部に水を含ませて使用するので、保冷剤の冷却能力が低下した後であっても、あるいは保冷剤を使用しない場合であっても、長時間に亘って冷却効果を保つことができる。
【００１３】
また、保冷部を更に折り畳むことで収納部の開口を覆うカバー部を設けているので、収納部に収めた保冷剤や氷が開口から飛び出すことを防ぐことができる。更に、カバー部は、折り畳んであるだけであって端部が解放されているので、収納時に開口部分を簡単に開くことができ、保冷剤や氷を簡単に収めることができる。
【００１４】
また、拭き取り部のみをタオル地としているため、保冷部の機能を低下させることなく、拭き取り感覚を良好にすることができる。
【図面の簡単な説明】
【００１５】
【図１】本考案の一実施例に係る保冷タオルの全体図である。
【図２】図１に示す保冷タオルの保冷部の拡大断面図である。
【図３】図１に示す保冷タオルの保冷部に保冷剤を収納する状態を示す拡大斜視図である。
【図４】保冷部に保冷剤を収納した状態を示す拡大斜視図である。
【図５】図４におけるＶ−Ｖ線断面図である。
【図６】本考案に係る保冷タオルの使用状態の一例を示す斜視図である。
【考案を実施するための形態】
【００１６】
本考案の保冷タオルは、帯状をなし、保冷部と、その長手方向の両端にそれぞれ縫着される拭き取り部を備えている。保冷部は、多孔質体からなる芯部と、それを覆うメッシュ地からなる被覆部により構成されている。また、拭き取り部はタオル地からなる。保冷部は、長手方向に向かう第１及び第２の折曲部にて幅方向に三つ折りに畳み込まれている。また、保冷部は、第１の折曲部にて折り畳まれると共にその長手方向の両端が縫着されることで形成される袋状の収納部を有している。また、この保冷部は、第２の折曲部にて折り畳まれることで形成される収納部の開口を覆うカバー部を有している。この収納部には、幅方向に縫着することにより形成される少なくとも１つの仕切り部が設けられており、カバー部もこの仕切り部により縫着されて仕切られている。
【００１７】
この保冷タオルにおいては、首に掛ける等によって頚部を冷却すると、中央の保冷部で後頭部及び頚動脈などを冷却すると共に、身体の前に垂れるタオル地の拭き取り部で汗を拭き取ることができる。また、見た目も通常のタオルに近いため、違和感がなくなり、見栄えが良くなる。
【実施例】
【００１８】
図１は本考案の一実施例に係る保冷タオルの全体図、図２は保冷部の拡大断面図、図３図４は保冷部の拡大斜視図である。この保冷タオル１は、帯状をなし、本実施例においては洗面用タオルあるいはスポーツ用タオル等と同程度の長さ及び幅に設定されている。この保冷タオル１の中央には保冷部２が設けられており、この保冷部２の長手方向の両端には拭き取り部３，４が設けられている。
【００１９】
保冷部２は、ポリビニルアセタール系樹脂等からなる保水性及び吸水性を有する多孔質体からなる芯部５と、この芯部５をその全表面に沿って覆うポリエステル等のメッシュ地からなる被覆部６とにより帯状に形成されている。本実施例における保冷部２は、首に掛けたときに後頭部及び左右の頚動脈付近に触れる長さに設定されており、図２に示すように、芯部５及び被覆部６からなる帯材を三つに折り畳んだ構造を有する。この保冷部２の構造をより詳しく説明すると、この保冷部２には、長手方向に向かう第１の折曲部Ｂ１にて幅方向に折り畳み、その長手方向の重なった両端を縫着部７，８によって縫着することにより形成される収納部９が設けられている。この収納部９は、幅方向の一辺が開口し且つ幅方向の他辺となる第１の折曲部Ｂ１が底部となる袋状をなすものである。また、保冷部２には、収納部９の開口９ａ付近における長手方向の第２の折曲部Ｂ２にて幅方向に折り畳むことにより、収納部９の開口９ａを覆うカバー部１０が設けられている。
【００２０】
また、この保冷部２には、収納部９を仕切る仕切り部１１が設けられている。この仕切り部１１は、収納部９の重なり合う部分を幅方向に縫着したものであり、本実施例においては収納部９の中央付近に１ヵ所設けられている。この仕切り部１１を設けると、収納部９に保冷剤等を収納したときに収納部９の形状が変形し難くなって安定し、更に収納部９内で保冷剤等が移動することを防ぐことができる。尚、この仕切り部１１は、少なくとも１ヵ所設けることが好ましく、２〜３ヵ所設けても良いものである。また、本実施例における仕切り部１１は、カバー部１０も収納部９と共に縫着しており、これによりカバー部１０による開口９ａの閉じ込めをより確実にすることができる。一方、収納部９の縫着部７，８側では、カバー部１０の端部１０ａは縫着部７，８に縫着されずに解放されている。その結果、カバー部１０は端部１０ａ側が解放されて開閉自在のため収納部９の開口９ａ部分が開き易くなり、収納部９内に保冷剤や氷を簡単に収めることができる。
【００２１】
一方、拭き取り部３，４は、タオル地からなり、保冷部２の長手方向の両端にそれぞれ縫着されている。本実施例における拭き取り部３，４は、保冷タオル１を首に掛けたときに、身体の前でゆるく結束可能な長さに設定され、更に、展開したときの保冷部２の幅と同じ幅に設定されている。本実施例における拭き取り部３，４は、展開した保冷部２の長手方向の両端にそれぞれ縫着されている。このため、保冷部２を折り畳むと、それに従って折り畳まれる。更に、本実施例においては、縫着部７，８により拭き取り部３，４も重なった部分が縫着されている。このため、拭き取り部３，４と保冷部２との縫着はより確実なものとなっている。
【００２２】
次に、上記構成からなる保冷タオル１の使用例を説明する。この保冷タオル１は、その保冷部２の芯部５に水を吸収させ、首等の冷却したい部位に保冷部２が当たるように掛け、端部の拭き取り部３，４を結束するだけで使用することができる。また更に、図３乃至図５に示すように、保冷剤１２を収納部９に収めて使用することもできる。この場合、予め冷却した保冷剤１２を開口９ａから収納部９内に入れた後、カバー部１０を開口９ａに被せて使用する。収納部９は、その両端が縫着部７，８により重なり合った状態で縫着されると共に仕切り部１１によってカバー部１０とも重なり合った状態で縫着されている。このため、開口９ａは通常閉じた状態に保たれ、また、カバー部１０は開口９ａを覆うように閉じた状態となっている。従って、収納部９に保冷剤１２を収めるときには、カバー部１０を押し開き、開口９ａを広げるようにして保冷剤１２を収めて手を離せば、開口９ａが閉じると共にカバー部１０も開口９ａを覆う状態になる。
【００２３】
上記のように保冷剤１２を収めた後、図６に示すように保冷タオル１を首に掛けると、保冷部２が後頭部付近から頚動脈付近に当接し、拭き取り部３，４が身体の前に垂れて、結束することができる状態になる。また、この状態においては、一般のタオルと外観がほとんど同様となり、拭き取り部３，４にプリント絵柄等を設けることで、サッカー等のスポーツ観戦にも全く違和感なく使用することが可能となる。
【００２４】
また、収納部９には保冷剤１２だけでなく氷を入れることもできる。この保冷剤１２や氷は、図４及び図５に示すように、収納部９内にて芯部５により囲まれた状態となり、保冷部２に予め吸収させた水分又は氷から溶け出た水を吸収した水分を、表裏面満遍なく冷却することになる。このため、保冷剤１２や氷が溶けてしまっても、保冷部２の水分全体が冷却されていて、この水分によって冷却状態を保持することができる。また、保冷部２の表裏面が冷却されているため、保冷タオル１の表裏を反転させて使用することもできる。尚、芯部５が吸収している水分は、芯部５を絞ることで簡単に排出することができる。
【００２５】
また、カバー部１０や収納部９の開口９ａは、金具等で止めたものではないため、収納した保冷剤１２を取り出すときにも簡単に開いて取り出すことができる。
【符号の説明】
【００２６】
１    保冷タオル
２    保冷部
３，４  拭き取り部
５    芯部
６    被覆部
７，８  縫着部
９    収納部
９ａ  開口
１０  カバー部
１０ａ  カバー部の端部
１１  仕切り部
１２  保冷剤
Ｂ１  第１の折曲部
Ｂ２  第２の折曲部
【図１】
0003153039.tif 000003
【図２】
0003153039.tif 000004
【図３】
0003153039.tif 000005
【図４】
0003153039.tif 000006
【図５】
0003153039.tif 000007
【図６】
0003153039.tif 000008